(57)【要約】【課題】少量かつ粘性の高い処理液を効果的に処理する遠心分離装置を提供する。【解決手段】筐体枠２に付設した回転駆動源４３と連係し、かつ垂直軸回転自在にして筐体枠に立設保持すると共に軸心に貫通した処理液導入管路を有する支持軸体４と、支持軸体の同軸上に垂下支持されると共に、下方が縮径開口で上底部を有する円筒状の回転容器５と、回転容器内に開口した越流口と容器外側周面に開口した排出口とを連通させた分離液排出管路と、支持軸体に上記導入管路と連通状態で回転容器内の回転軸上に垂下状に連結配置し、かつ下端部に吐出口を有する処理液吐出管６と、この吐出管の下端部に取付けられた円板状の飛翔板と、容器内空形の母線に倣った縁辺を有し、縁辺が内壁面へ接近又は離隔移動する掻き取り板８と、回転容器の外周囲に配置されて排出口からの分離液を受水する受水容器７と、から構成する。【選択図】図１
2019155253.tif 000002
【特許請求の範囲】
【請求項１】
筐体枠に付設した回転駆動源と連係し、かつ垂直軸回転自在にして該筐体枠に立設保持すると共に軸心に貫通した処理液導入管路を有する支持軸体と、
該支持軸体と同軸上に垂下支持されると共に、下方が縮径開口で上底部を有する円筒状の回転容器と、
該回転容器の上底部に形成されて容器内に開口した越流口と容器外側周面に開口した排出口とを連通させた分離液排出管路と、
前記支持軸体に前記処理液導入管路と連通させた状態で回転容器内の回転軸上に垂下状に連結配置し、かつ下端部に吐出口を有する処理液吐出管と、
該処理液吐出管の下端部に取付けられて前記吐出口に連なる水平上面をもった円板状の飛翔板と、
前記回転容器内に配置されて容器内空形の母線に倣った縁辺を有し、かつ該縁辺が回動手段により適宜に内壁面へ接近又は離隔移動する掻き取り板と、
前記回転容器の外周囲に配置されて前記排出口からの分離液を受水する受水容器と、
から成ることを特徴とする遠心分離装置。
【請求項２】
前記筐体枠に付設した回転容器の駆動源が、
遠心分離処理時の高速回転用と、掻き取り作業時の低速回転用の２種のモータであることを特徴とする請求項１記載の遠心分離装置。
【請求項３】
前記掻き取り板が、
前記回転容器の下方開口の縁と飛翔板との間を通過して容器内外を昇降移動することを特徴とする請求項１、又は２記載の遠心分離装置。
【請求項４】
前記回転容器内に堆積したスラッジの量を荷重変化により検知するための重量測定機構を配置したことを特徴とする請求項１、２、又は３記載の遠心分離装置。
【請求項５】
前記重量測定機構による検知が、
前記回転駆動源、前記支持軸体、前記回転容器、及び前記受水容器を保持する基台枠を片持ち保持し、反片持ち側の基台枠に取り付けたロードセルからの情報入手に拠ることを特徴とする請求項４記載の遠心分離装置。
【発明の詳細な説明】
【技術分野】
【０００１】
本願に係る発明（以下、「本願発明」）は、縦型円筒状の回転容器内に取り込まれた処理対象の液体（以下、「処理液」）を遠心分離処理する遠心分離装置に関するものであり、特に、高粘度や高濃度でかつ少量の液体処理に適した遠心分離装置に関する。
【背景技術】
【０００２】
従来から、工場廃液やその他各種の液体状物質を処理するため、遠心分離装置が多く用いられていた。従来の遠心分離装置は、例えば、特許文献１〜４で開示されているように、主に縦型の略円筒状（ドラム状）の回転容器と、この回転容器を高速で軸回転させる回転機構と、回転容器の内側空間内に処理液を吐出する吐出機構等を含んで構成されていた。このような構成により、比重の異なる複数成分の液体を発生させた遠心力を利用し、比重の違いに基づいて回転容器の内側空間で各成分に分離していた。
【０００３】
上記構成の遠心分離装置は、処理液を回転体の内部に連続的に供給するため、回転容器の内部には、処理後の比重の大きな固体成分が内壁面側に移動し、内壁面にスラッジとして堆積していた。このようなスラッジの堆積層が厚くなると、遠心分離作用が低下するため、スラッジを除去するスクレーパ（掻き取り板）機構を備える遠心分離装置が開発されていた。
【０００４】
例えば、特許文献１に示す遠心分離装置は、回転容器と、回転容器の内空間遠心力を発生させる回転機構部と、処理液を吐出する吐出部と、堆積したスラッジを除去するスクレーパを有するスクレーパ変位機構部と、から構成し、スクレーパ変位機構部は、回転容器の内壁面に対する角度調整部を有していた。この特許文献１の遠心分離装置は、角度調整されたスクレーパによってスラッジの掻取を安定させることが可能となっていた。
【先行技術文献】
【特許文献】
【０００５】
【特許文献１】特開２０１３−９４７４６号公報
【特許文献２】特開２００８−１８３５０６号公報
【特許文献３】特開２００４−４１９５１号公報
【特許文献４】特開２０００−１４０７０４号公報
【発明の概要】
【発明が解決しようとする課題】
【０００６】
上記特許文献１のような従来構成の遠心分離装置は、スラッジ除去の安定性の他にも大きな構成上の課題があった。それは、処理液の供給量が制限されると共に、高粘度の処理ができないことであった。
【０００７】
具体的には、処理液の供給量が少量の場合では、質量が少ないために作用する遠心力が小さくなり、回転容器の内面壁での遠心分離に支障をきたすおそれがあった。また、高粘度の処理液の場合では、粘性が大きくて流動性が悪いため処理液の吐出口が詰まったりする他、大きな塊状となって吐出されることがあり、遠心力が作用するよりも前に重力の影響が大きく作用して回転容器から落下する場合があった。
【０００８】
このような問題を避けるため、従来構成の遠心分離装置は、処理液の供給量はある一定量以上を必要とすると共に、高粘度の処理液であれば吐出口に別途圧力を付加する必要があり、ある程度粘性を限定する必要があった。
【０００９】
また、特許文献４に開示されているように、導入路（５８）の下端に振切り板（５５）を設けて、未処理液を筒体（回転容器）３０に導く構成を採用しているものがあった。しかし、この振切り板（５５）はスクレーパ（５０）と一体となって高速回転するものでないため、未処理液に働く遠心力は小さく、少ない量や高粘度の処理液に対しては不十分なものであった。
【００１０】
そこで、本願発明は、これらの課題の解決を目的として創出されたものであり、少量かつ粘性の高い処理液であっても効果的な遠心分離処理を可能とする新規な遠心分離装置を提供するものである。
【課題を解決するための手段】
【００１１】
上記課題を解決するため、本願発明に係る遠心分離装置は、以下のように構成している。
【００１２】
すなわち、筐体枠に付設した回転駆動源と連係し、かつ垂直軸回転自在にして該筐体枠に立設保持すると共に軸心に貫通した処理液導入管路を有する支持軸体と、該支持軸体と同軸上に垂下支持されると共に、下方が縮径開口で上底部を有する円筒状の回転容器と、該回転容器の上底部に形成されて容器内に開口した越流口と容器外側周面に開口した排出口とを連通させた分離液排出管路と、前記支持軸体に前記処理液導入管路と連通させた状態で回転容器内の回転軸上に垂下状に連結配置し、かつ下端部に吐出口を有する処理液吐出管と、該処理液吐出管の下端部に取付けられて前記吐出口に連なる水平上面をもった円板状の飛翔板と、前記回転容器内に配置されて容器内空形の母線に倣った縁辺を有し、かつ該縁辺が回動手段により適宜に内壁面へ接近又は離隔移動する掻き取り板と、前記回転容器の外周囲に配置されて前記排出口からの分離液を受水する受水容器と、から成ることを特徴とするとしている。
【００１３】
前記筐体枠に付設した回転容器の駆動源は、遠心分離処理時の高速回転用と、掻き取り作業時の低速回転用の２種のモータで構成しても良い。遠心分離処理と掻き取り作業の確実性と機器保守の管理性から、２種のモータとすることが好ましいからである。
【００１４】
また、前記掻き取り板は、前記回転容器の下方開口の縁と飛翔板との間を通過して容器内外を昇降移動する構成としても良い。この昇降移動させる構成は、掻き取り板が通常の遠心分離処理時に回転容器内に位置した場合、飛翔板から噴射される一部処理液の飛散を妨害することになり、これを避けるために配置することが好適である。
【００１５】
さらに、回転容器内に堆積したスラッジの量を荷重変化により検知するための重量測定機構を配置したことを特徴としている。この重量測定機構による検知は、前記回転駆動源、前記支持軸体、前記回転容器、及び前記受水容器を保持する基台枠を片持ち保持し、反片持ち側の基台枠に取り付けたロードセルからの情報入手に拠るものとしたものである。
【００１６】
かかる遠心分離装置の構成により、処理液導入管路から供給された固形物が混濁した状態の処理液は、処理液吐出管を介して吐出口から吐出すると共に、回転容器と共に高速回転する飛翔板の遠心力によって放射方向に勢いをもって噴射されることとなる。この噴射された処理液は、少量又は高粘度であっても、回転容器の内壁面に到達して遠心分離されることとなる。遠心分離によって固形分は容器内壁面に張り付けられて固相と液相の２相に分離される。この液相となる分離液は、固相と異なって流動性があるため遠心力によって容器側面に開口した排出口に発生する負圧によって越流口から吸引され、分離液排出管路を流通して容器外側に排出される。そして、排出口から回転容器の外側周囲を囲む受水容器に受水されることとなる。
【００１７】
一方、回転容器の内壁面に固相として堆積したスラッジは、高速回転にしたがってその密度を高めその重量が漸次増していく。この荷重増加の変化をロードセルからの情報（電気信号）を基に堆積量を演算し、予め設定しておいたタイミングを図り、回転容器の回転を低速回転させると共に、掻き取り板を回転容器内の定位置まで進入させる。
【００１８】
次に、その縁辺を内壁面に接近作動させて、回転容器の回転との相対移動によってスラッジ堆積層を掻き取るようにして削除して行く。なお前記駆動源を高速回転用と、低速回転用の２種モータを別個に付設した場合は、一方を停止又は伝達連係を解除して行う。
【発明の効果】
【００１９】
本願発明の遠心分離装置を上記のように構成することにより、以下の効果を奏する。
【００２０】
処理液吐出管から吐出した処理液は、飛翔板が高速回転するため、この上面に当たって（又は沿って）移動し、かつ遠心力が付加されて勢いをもって放射方向に飛散し、回転容器の内壁面に確実に到達させることができる。
【００２１】
これにより、少量の高粘度、さらには比重の大きい高濃度の処理液であっても、回転容器の内壁面に確実に到達させることができ、効果的な遠心分離処理を行うことができる。処理液の供給量を少なくした場合、回転容器内での滞留時間を長くできるため、高い分離精度が得られ、清浄度をより向上させることができる。
【００２２】
また、回転容器内のスラッジ堆積量を、重量の変化過程によって検出するため、スラッジの低含水率を可能な限り高めることができ、よりベストな掻き取りタイミングを判断することかできる。この結果、より低含水率のスラッジを回収できることとなる。
【図面の簡単な説明】
【００２３】
【図１】本実施例の遠心分離装置の概観を示す要部縦断面図である。
【図２】本実施例の遠心分離装置の重量測定機構を示す要部縦断面図（Ａ）、及びＰ矢視図（Ｂ）である。
【図３】本実施例の遠心分離装置の回転容器廻りを示す縦断面図である。
【図４】本実施例の遠心分離装置の掻き取り板を示す側面図（Ａ）と平面図（Ｂ）である。
【図５】本実施例の遠心分離装置の低速回転機構を示す平面図（Ａ）と縦断面図（Ｂ）である。
【発明を実施するための形態】
【００２４】
以下に、本願発明に係る遠心分離装置の最良の実施例を、図面に基づき詳細に説明する。なお、各構成要素の名称は、本願発明での機能を考慮して定義したものであって、本願発明の技術的構成要素を限定する意味のものではない。また、各構成要素に定義されたそれぞれの名称は、当業界では他の名称で称することがある。
【００２５】
図１の図符号１は、本実施例に係る遠心分離装置（以下、「本装置」と称する。）である。本装置１は、単独型の遠心分離装置であって、分離対象の混濁液Ｌ（以下、「処理液」）を遠心分離するための主要機素である回転容器５を筐体枠２の所定高さ位置に配設している。回転容器５は、この筐体枠２の所定高さ位置から垂下状にして、かつ支持軸体４によって垂直軸回転自在に保持している。また、該回転容器５に回転力を伝達する駆動源と、遠心分離後に液相部分となる分離液Ｗを受ける受水容器７と、遠心分離後に回転容器内に堆積して固相となるスラッジＳを除去するための掻き取り板８と、を主要構成要素として設けている。
【００２６】
上記筐体枠２は、四隅に所定高さの４本の脚柱２１と、その下端部を結ぶ基台枠２２と、上端部を結ぶ梁枠２３とで、箱枠状に構築している。
【００２７】
また筐体枠２の天面部には、重量測定機構３を配置している。
この重量測定機構３は、筐体枠２の天面に配置した矩形状の枠体３１と、この枠体３１の上面側に載置するように設置した支持基台３２と、枠体３１の一辺側（図面上では左側）の上記筐体枠２の梁枠２３との間の２箇所に取り付けたヒンジ３３と、このヒンジ３３の対向位置の梁枠２３と前記枠体３１によって挟持された位置にロードセル３４を配置して構成している。上記支持基台３２は、後述する駆動源の各機構、これと連係した支持軸体４、回転容器５、受水容器７、掻き取り板８を取り付けて保持するための基台となるものである。
【００２８】
この構成により、枠体３１及び支持基台３２は、筐体枠２の上部においてヒンジ３３を支点とする片持ち状に構成している。そして枠体３１や支持基台３２に係る重量変化をロードセル３４の変位で検知するようにしている。
【００２９】
重量測定機構３の支持基台３２の中央には、柱状で垂直に立設させた支持軸体４を貫通状態で配設している。この支持軸体４は、支持基台３２への固定部位となる外筒体４１で外周側を覆うと共に、その軸心上に回転自在にして、かつその上端側を上方に露出延長させた処理液Ｌを供給する処理液導入管４２（以下、「導入管」と略称。）を保持している。この導入管４２には、軸心を貫通させた処理液導入管路４２ａ（以下、「管路」と略称。）を形成している。
【００３０】
上記導入管４２には、外筒体４１から露出延長した部分に遠心分離処理時の高速回転用のモータ４３（以下、「高速用モータ」と略称。）からの高速回転力が伝達される高速受動プーリ４３ａと、その上位に掻き取り工程時の低速回転用のモータ９１（以下、「低速用モータ」と略称。）からの低速回転力が伝達される低速受動プーリ９１ａとを外嵌状態で取り付けている。また、その上端部には、処理液Ｌを供給するために外部管路と連結するロータリージョイント４４を取り付けている。前記高速受動プーリ４３ａは、支持基台３２の上位側にブラケット４３ｃをもって出力軸を下側にして配置した高速用モータ４３の高速出力プーリ４３ｂと、Ｖベルト４３ｄをもって連係している。なお、前記低速受動プーリ９１ａは、後述する低速用モータ９１の低速出力プーリ９１ｂとＶベルト９１ｄを介して連係している。
【００３１】
前記支持軸体４の支持基台３２から下側に露出させた外筒体４１の下端部においては、処理液Ｌを遠心分離するための回転容器５を垂下状態で固定支持している。この回転容器５は、円筒状の容器内空間径より下方に漸次縮径させた開口縁５１をもって下方開口させた上有底の円筒体を成し、下方の開口縁５１と上下対向した上底部５２には、円周当分の複数カ所に越流口５３を形成している。この越流口５３は、遠心分離した低比重の分離液Ｗを越流させて排出させる排出管路５４を介して、回転容器５の外側周面に開口させた排出口５５と連通させている。
【００３２】
回転容器５の上底部５２の軸心部には、上底部５２を貫通すると共に導入管４２の下端部と同軸上で連結固定する処理液吐出管６（以下、「吐出管」と略称。）を配置している。この吐出管６は、回転容器５の空間内の開口縁付近まで垂下した長さを有し、その上端側を導入管４２の管路４２ａと連通接続すると共に、下端部に側面に開口した吐出口６１を形成している。
【００３３】
また、この吐出口６１は、吐出管６の下端に取り付けた上面を水平面とした円板状の飛翔板６２の上面に連なるように開口させている。この飛翔板６２の直径は、回転容器５の開口縁５１の口径よりも小径に形成している。この径差は、後述する掻き取り板８の形状を考慮して適宜に設定される。
【００３４】
上記構成により、支持軸体４の導入管４２、回転容器５、及び吐出管６は、高速受動プーリ４３ａを介して伝達された高速用モータ４３の駆動力をもって、支持基台３２に対して一体となって軸回転（矢印ｒ）することになる。本装置１は、供給された処理液Ｌを遠心分離処理時には、高速用モータ４３からの回転力によって回転容器５を高速軸回転させる。なお、本実施例では、この遠心分離時の回転速度を３７００ｒｍｐ〜４５００ｒｐｍに設定している。
【００３５】
次に、上記回転容器５の外側周囲には、前記排出口５５から排出された分離液Ｗ（低比重物混入液）を受ける受水容器７を配置している。この受水容器７は、前記回転容器５の外側全周を囲むようにして支持基台３２の下面に固定設置している。また、この受水容器７は、側面下部の１箇所又は複数箇所に下方開口の排水管７１を配置している。そして、排水管７１の下方の筐体枠内には、前記受水容器７で受けた分離液Ｗを排水管７１から落下させて一旦貯留するための、上方開口の排水槽７２を配置している。
【００３６】
さらに、回転容器５の開口縁５１の下側には、回転容器５の開口縁５１と吐出管６に取り付けた飛翔板６２の間を通って、回転容器５の内部に進入及び退出する湾曲板状の掻き取り板８を配置している。この掻き取り板８は、長手方向の一辺側を立設した支柱８１に片持ち状にして取り付けており、そして反支柱側の縁辺８２は回転容器５の内壁面形の母線に倣った形状に形成している。また上記掻き取り板８は、上面視で、飛翔板６２の外周曲率及び回転容器５の内壁面の曲率に一致させた２次元湾曲面状に形成している。前記掻き取り板８の支柱８１は、水平配置の支持アーム８３の先端部に取り付けている。
【００３７】
支持アーム８３には、水平方向に直動させて掻き取り板８を回動させるための回動用シリンダ装置８４を配置している。この回動用シリンダ装置８４は、そのシリンダ後端部で取付部材を介して支持アーム８３にヒンジ支持しており、ロッドの先端部はリンク片８４ａを介して掻き取り板８の支柱８１にリンク結合している。また、支持アーム８３の全体は、前記支持基台３２の下面から鉛直下向きに配置したブラケット８５ａで保持した垂直方向に直動する昇降用シリンダ装置８５の先端部に取り付けて保持している。
【００３８】
上記のように構成した掻き取り板８は、昇降用シリンダ装置８５の垂直方向の作動により、回転容器５の開口縁５１と飛翔板６２との間を通って、回転容器５の内部空間内に進入（矢印ａ）と退出する構成としている。進入後においては、回動用シリンダ装置８４のロッドの伸縮動によって掻き取り板８を片持ち回動させて（矢印ｂ）、縁辺８２を回転容器５の内壁面に近接又は離隔させる。この近接作動により、内壁面に倣わせると共に、回転容器５の低速回転と相俟って堆積したスラッジ層と接触して掻き落しを行う。この掻き落とされたスラッジＳは、回転容器５の開口縁５１と飛翔板６２の間から落下し、その下部に配置したスラッジ槽８６に一旦貯め置くこととしている。掻き取り板８の退出は、進入とは逆に片持ち回動させた後に、回転容器５の開口縁５１と飛翔板６２との間を通過して行う。
【００３９】
本装置１は、上述のように遠心分離処理時において、高速用モータ４３の駆動力によって導入管４２、回転容器５、及び吐出管６を回転させているが、上記構成の掻き取り板８によるスラッジ除去作業時には、別駆動源としての低速回転機構９を用いている。
【００４０】
以下に、この低速回転機構９の構成について説明する。
低速回転機構９は、支持基台３２の上面側にブラケット９１ｃで保持した低速用モータ９１の出力軸に取り付けた低速出力プーリ９１ｂと、導入管４２に外装した低速受動プーリ９１ａと、これら両プーリ９１ａ、９１ｂに巻回して架け渡したＶベルト９１ｄと、この架け渡したＶベルト９１ｄに接触して押圧して張力を発生させるクラッチ機構９２と、から構成している。
【００４１】
このクラッチ機構９２は、水平移動してＶベルト９１ｄの弛みを取るテンションプーリ９２ｃと、テンションプーリ９２ｃを回動自在に一端部側で保持すると共に、他端部を回動自在にかつ低速用モータ９１のブラケット９１ｃに形成した長孔で直動及び回動可能に保持したリンク片９２ｂと、リンク片９２ｂのほぼ中間部分に回動自在に先端側を結合したクラッチ用シリンダ装置９２ａと、上記ブラケット９１ｃを足場としてＶベルト９１ｄの外周側をテンションプーリ９２ｃの接触側を除き覆うベルトカバー９２ｄと、から構成している。
【００４２】
なお、上記ベルトカバー９２ｄは、Ｖベルト９１ｄが前記各プーリ９１ａ、９１ｂから脱落のおそれがあり、それを防止するために配置している。これは、ここで使用するＶベルト９１ｄの長さが、前記低速出力プーリ９１ｂと低速受動プーリ９１ａとを周回して架け渡した最短距離（長楕円形の周回距離）より長いものを用いているからであり、そのままでは弛んだ状態となっているからである。
【００４３】
上記のように構成したクラッチ機構９２の作動を説明すると、クラッチ用シリンダ装置９２ａがロッドを伸ばしてテンションプーリ９２ｃが接触しない所謂フリーの弛んだ状態では、Ｖベルト９１ｄが低速出力プーリ９１ｂ及び低速受動プーリ９１ａと係合していないため摩擦が発生せず、駆動力の伝達は行われない。
【００４４】
一方、クラッチ用シリンダ装置９２ａのロッドを短縮移動させて、テンションプーリ９２ｃを水平移動（矢印ｃ）させると、Ｖベルト９１ｄが撓んで両プーリ９１ａ、９１ｂとＶベルト９１ｄが係合して張力が発生する。これにより、接触面に摩擦力が発生して、低速出力プーリ９１ｂの回転力が低速受動プーリ９１ａへ伝達されることとなる。
［作用］
【００４５】
次に、本装置１の作用について、以下に説明する。
まず、本装置１は、高速用モータ４３を起動させて導入管４２、回転容器５、及び吐出管６を回転させる。本実施例では、このときの回転数を、３７００〜４５００ｒｐｍとしている。
【００４６】
次に、外部の送水ポンプ等の供給手段によってロータリージョイント４４を介して処理液Ｌを回転容器内に供給する。
【００４７】
吐出管６の内部を流下した処理液Ｌ、特に、粘性がある処理液Ｌは、吐出口６１からの遠心力に加えて、飛翔板６２の水平面に付着し易くなるため、面の回転の影響を受けて更なる遠心力（放射方向）が作用し、回転が早くなるほど、又は比重が大きいほど、遠心力が大きく作用して放射方向に飛散することとなる。
【００４８】
飛散した処理液Ｌは回転容器５の内壁面に到達して、そこで遠心分離されることになる。処理液Ｌは遠心分離により、スラッジＳのような固形物はより外側に移動する一方、分離液Ｗは内側に移動する。移動後の分離液Ｗは、遠心力及び回転容器５の下底が縮径した内空形状によって上昇して越流口５３に至った後に排出管路５４を介して排出口５５から受水容器内に排出される。受水容器７に排出された分離液Ｗは、円環状の底部を周回した後に排水管７１を介して排水槽７２に落下して集水されることになる。
【００４９】
一方で、本装置１による遠心分離処理の実施を進めると、回転容器内部にはスラッジＳが堆積して重量が増してくる。このスラッジＳの重量変化は重量測定機構３のロードセル３４で検知している。ここで、スラッジＳの重量が所定量に達したことを検知したら、以下の作用によってスラッジＳの掻き取り除去を行う。
【００５０】
まずは、処理液Ｌの供給を停止すると共に高速用モータ４３も停止し、通常の遠心分離処理を停止する。次に、回転容器内部に掻き取り板８を昇降用シリンダ装置８５の作動によって進入させる。掻き取り板８を所定位置まで進入させた後には、回動用シリンダ装置８４の作動（本実施例ではロッドの収縮）によって縁辺８２を回転容器５の内空形の母線に倣う方向に片持ち回動させる。
【００５１】
この片持ち回動と共に、クラッチ機構９２を作動させて起動させた低速用モータ９１からの低速回転駆動力を回転容器５に伝達できる状態とする。その後、回転容器５を低速回転させると、掻き取り板８の縁辺８２が堆積したスラッジＳの上層と接触しながら切削して行く。そして、スラッジＳの切削量にしたがって掻き取り板８の片持ち回動角度を漸次大きくして回転容器５の内壁面により接近させていき、スラッジＳの完全削除を行う。
【００５２】
掻き取り除去されたスラッジＳは、スラッジ槽８６の内部に落下して堆積する。なお、上記スラッジ除去工程時には、高速用モータ４３は所謂つれ回り状態であり、回転容器５の回転駆動には寄与していない。
【００５３】
スラッジ除去後は、クラッチ機構９２を作動させて低速用モータ９１の駆動力伝達を遮断する。その後、回動用シリンダ装置８４を作動して掻き取り板８を片持ち回動させて飛翔板６２と干渉しない位置に設定した後、昇降用シリンダ装置８５の下方伸張作動によって回転容器５の開口縁５１と飛翔板６２との間を通って回転容器内から退出（退避）させる。
【００５４】
その後、再度高速用モータ４３の起動及び処理液Ｌの供給を開始して遠心分離処理の実施を再開させ、スラッジＳが適宜の重量になったら上記除去作用を繰り返して遠心分離処理を継続実施する。
【符号の説明】
【００５５】
１  本装置
２  筐体枠
２１  脚柱
２２  基台枠
２３  梁枠
３  重量測定機構
３１  枠体
３２  支持基台
３３  ヒンジ
３４  ロードセル
４  支持軸体
４１  外筒体
４２  導入管
４２ａ  管路
４３  高速用モータ
４３ａ  高速受動プーリ
４３ｂ  高速出力プーリ
４３ｃ  ブラケット
４３ｄ  Ｖベルト
４４  ロータリージョイント
５  回転容器
５１  開口縁
５２  上底部
５３  越流口
５４  排出管路
５５  排出口
６  吐出管
６１  吐出口
６２  飛翔板
７  受水容器
７１  排水管
７２  排水槽
８  掻き取り板
８１  支柱
８２  縁辺
８３  支持アーム
８４  回動用シリンダ装置
８４ａ  リンク片
８５  昇降用シリンダ装置
８５ａ  ブラケット
８６  スラッジ槽
９  低速回転機構
９１  低速用モータ
９１ａ  低速受動プーリ
９１ｂ  低速出力プーリ
９１ｃ  ブラケット
９１ｄ  Ｖベルト
９２  クラッチ機構
９２ａ  クラッチ用シリンダ装置
９２ｂ  リンク片
９２ｃ  テンションプーリ
９２ｄ  ベルトカバー
Ｓ  スラッジ
Ｌ  処理液
Ｗ  分離液
【図１】
2019155253.tif 000003
【図２】
2019155253.tif 000004
【図３】
2019155253.tif 000005
【図４】
2019155253.tif 000006
【図５】
2019155253.tif 000007